(57)【要約】【課題】  同じ主走査幅を持ち異なる副走査長を持つ複数種類の原稿を副走査長を主走査幅として読取りを行う場合に、ユーザが複数の定形サイズを任意に設定できるようにする。【解決手段】  ３種類の原稿のいずれかが横長に挿入されると、その主走査幅(８．５インチ)について複数の副走査長があるかを判断する。複数の副走査長がある場合は、副走査長を主走査幅として読取りを行うものと判断し、ユーザが原稿サイズ設定手段により副走査長１１，１３，１４インチの何れかを定形サイズとして設定する。設定した定形サイズが１１インチであれば、その原稿を読取る。１１インチ以外の場合は、読取った後、画像を９０°回転させる。これにより、１１インチ以外の場合でも定形サイズとして適切な用紙サイズを選択できるようになる。１１インチの原稿画像又は９０°回転された原稿画像のサイズに応じて用紙が選択され、転写出力する。また用紙枚数を定形サイズ毎にカウントする。【選択図】  図４
2006064788.tif 000002
【特許請求の範囲】
【請求項１】
原稿を読取る読取手段と、前記原稿の主走査幅を検出する複数のセンサ手段と、前記検出された主走査幅に応じたサイズの用紙を選択する用紙選択手段と、前記読取った原稿画像を前記選択された用紙に転写して出力する転写手段とを備えた画像形成装置において、
前記主走査幅が同じで異なる複数の副走査長を有する複数種類の原稿を主走査幅が副走査長になるようにして読取りを行う場合、前記複数種類の原稿を複数の定形サイズとして選択的に設定する原稿サイズ設定手段を設け、
前記複数のセンサ手段のうちの１つのセンサ手段により前記複数の定形サイズのうち前記原稿サイズ設定手段により設定された定形サイズの主走査幅を検出することを特徴とする画像形成装置。
【請求項２】
前記読取った原稿画像を９０°回転させる画像回転手段を設け、前記用紙選択手段は、前記９０°回転された原稿画像に応じたサイズの用紙を選択することを特徴とする請求項１記載の画像形成装置。
【請求項３】
前記転写された用紙の出力枚数を、前記複数の定形サイズ毎にカウントする枚数カウント手段を設けたことを特徴とする請求項１又は２記載の画像形成装置。
【発明の詳細な説明】
【技術分野】
【０００１】
本発明は、画像形成装置に関し、特に原稿の主走査幅が副走査長になるようにして読取りを行う画像形成装置に関するものである。
【背景技術】
【０００２】
従来の画像形成装置においては、原稿サイズを検出してそのサイズに合った用紙（転写紙）を選択するようにしている。その場合、原稿サイズとしては主走査幅、副走査長共にいろいろなサイズがあるが、原稿サイズの検出に関しては、従来ではある１サイズの主走査幅に対しては１サイズの副走査長を想定しており、その主走査幅については１つの定形サイズしか認識することができず、他のサイズの副走査長については不定形サイズとして認識されていた。しかし実際には、例えば図３（a）のように、主走査幅が８．５インチの原稿には、副走査長が１１インチのもの（レター）と、１３インチのもの(フォリオ)と、１４インチのもの(リーガル)の３種類の定形サイズがある。にも拘らず従来は８．５インチ×１１インチの定形サイズしか認識できなかった。また、他の主走査幅についても同様に１つの副走査長を持つ定形サイズしか認識できなかった。
また、原稿の複数の主走査幅を検出するために、主走査幅検出用の複数のセンサが主走査方向に配置されていた。
尚、本発明に関する従来技術として、従来のサイズセンサを用いて多くの用紙サイズを検出できるようにした技術がある（例えば、特許文献１参照）。
【特許文献１】特開平１０−１８１８９１号公報
【発明の開示】
【発明が解決しようとする課題】
【０００３】
上記のように従来は１サイズの主走査幅に対して１つの定形サイズしか認識することができないので、原稿の副走査長が主走査幅になるようにして読取りを行う場合、例えば８．５インチ×１３インチの原稿や８．５インチ×１４インチの原稿は８．５インチ×１１インチの原稿と認識されてしまい、このため８．５インチ×１１インチの原稿に適した用紙が選択されるので、画像が欠けて出力されていた。また、定形サイズ以外は不定形サイズとして用紙枚数をカウントしていたため、用紙の正確な消費量を把握することができなかった。
従って、本発明は上記の問題を解決し、同じ主走査幅を持ち異なる副走査長を持つ原稿を副走査長を主走査幅として読取りを行う場合に、ユーザが複数の定形サイズを任意に設定できるようにした画像形成装置を提供することを課題とする。
【課題を解決するための手段】
【０００４】
請求項１の発明による画像形成装置は、原稿を読取る読取手段と、前記原稿の主走査幅を検出する複数のセンサ手段と、前記検出された主走査幅に応じたサイズの用紙を選択する用紙選択手段と、前記読取った原稿画像を前記選択された用紙に転写して出力する転写手段とを備えた画像形成装置において、前記主走査幅が同じで異なる複数の副走査長を有する複数種類の原稿を主走査幅が副走査長になるようにして読取りを行う場合、前記複数種類の原稿を複数の定形サイズとして選択的に設定する原稿サイズ設定手段を設け、前記複数のセンサ手段のうちの１つのセンサ手段により前記複数の定形サイズのうち前記原稿サイズ設定手段により設定された定形サイズの主走査幅を検出することを特徴とするものである。
【０００５】
請求項２の発明による画像形成装置は、請求項１において、前記読取った原稿画像を９０°回転させる画像回転手段を設け、前記用紙選択手段は、前記９０°回転された原稿画像に応じたサイズの用紙を選択することを特徴とするものである。
【０００６】
請求項３の発明による画像形成装置は、請求項１又は２において、前記転写された用紙の出力枚数を、前記複数の定形サイズ毎にカウントする枚数カウント手段を設けたことを特徴とするものである。
【発明の効果】
【０００７】
請求項１の発明によれば、原稿の副走査長が主走査になるようにして読取りを行う場合に画像欠けすることなく転写出力することができる。
請求項２の発明によれば、原稿の副走査長が主走査になるようにして読取りを行う場合に、同じ主走査幅で副走査長が異なる複数種類の原稿の読取りを行っても全て定形サイズ原稿として検出され出力することができる。
請求項３の発明によれば、全ての定形サイズについてそれぞれ用紙枚数がカウントされるので、用紙消費量を正確に知ることができる。
【発明を実施するための最良の形態】
【０００８】
以下、本発明の実施の形態を図面と共に説明する。
図１は本発明の実施の形態による画像形成装置としての複写機の構成を示すブロック図である。
図１において、１はユーザが複写機の持つ機能を設定するためのユーザインターフェースとしての操作表示部、２は原稿給紙部３から運ばれてきた原稿を露光し、原稿画像を読取り、画像の濃淡と画像位置情報をデジタル信号に変換する読取部、３は原稿を読取位置に運ぶ原稿給紙部、４は読取りを終えた原稿を排紙する原稿排紙部、５は給紙ロール、給紙トレイ、手差しトレイから転写紙を給紙する転写紙給紙部、６は原稿の読取開始と終了部分を検出してトリガ信号を出力する原稿レジスト検知手段、７はロール紙カット手段１５でロール紙をカットする際の適切な長さを検出する転写紙長検知手段、８は原稿の幅を検出する原稿幅検知手段、９は画像処理部１２で処理され再現された画像を感光体ドラムを媒体にして転写紙にトナー画像として転写する作像部である。
【０００９】
１０は転写紙に乗ったトナーを高い温度と圧力で転写紙に転写する定着部、１１は定着を終えた転写紙を排紙する転写紙排紙部、１２は読取部２から送られてくるデジタル信号
に対して良好な画像が再現できるように所定の処理を行う画像処理部、１３は画像処理部１２で処理された画像を記憶する原稿画像記憶部、１４は原稿給紙部３に原稿がセットされているかを検出する原稿セット検知手段、１５は転写紙としてロール紙が選択された場合に適切な長さにロール紙をカットするロール紙カット手段、１６は１つの主走査幅に対して複数の副走査長をもつ複数の定形サイズの原稿サイズから１つを選択設定できる原稿サイズ設定手段１６で、副走査長を主走査幅として読取りを行う場合に使用される。１７は原稿サイズ設定手段１６で設定された原稿の副走査長を主走査幅として読取らせた場合に、読取った原稿画像を±９０°回転させる画像回転手段、１８は同じ主走査幅で副走査長が異なることで区別される定形サイズの原稿画像を出力した場合、サイズ別に転写紙出力枚数をカウントするサイズ別出力枚数カウント手段である。また、１９は全体を制御するシステム制御部である。
【００１０】
図２は本実施の形態の特徴である原稿サイズ設定手段１６を操作して表示される原稿サイズ選択画面であり、副走査長を主走査幅として読取りを行う場合に使用される。図示の例では、主走査幅が８．５インチについて１１インチ、１３インチ、１４インチが表示され、１１インチが選択された場合を示している。この状態でOKボタンを押せば８．５インチ×１１インチの原稿の定形サイズを設定することができる。また、１３インチ又は１４インチを選択してOKボタンを押せば８．５インチ×１３インチ又は８．５インチ×１４インチの原稿の定形サイズを設定することができる。
【００１１】
図３は同じ主走査幅(短辺)を持ち異なる副走査長(長辺)を持つ原稿を副走査長を主走査幅として読取りを行う場合に、１つのセンサで複数の定形サイズを検出する原理を示すもので、ここでは、主走査幅８．５インチの原稿の場合を例として示す。
図３（a）は同じ主走査幅８．５インチに対して１１インチ、１３インチ、１４インチの副走査長をもつ原稿があることを示す。
【００１２】
図３（b）において、原稿幅検知手段８としての複数のセンサ１、センサ２…センサ５(センサ３，４，５は図示略)が主走査方向に配置されている。これらのセンサは８．５インチを始めとする複数種類の主走査幅を検出するために従来から用いられているセンサである。即ち、センサ１は主走査幅８．５インチを検出し、センサ２は８．５インチの次の主走査幅を検出し、センサ３はさらに次の主走査幅を検出するものである。
【００１３】
ここで、８．５インチ×１１インチの原稿２０、８．５インチ×１３インチの原稿２１、８．５インチ×１３インチの原稿２１をそれぞれ副走査長(長辺)を主走査幅として読取りを行うために、各原稿を図示のように横長にして読取部に挿入したとする。このとき各原稿２０，２１，２２は、センサ１で検出され、センサ２〜５では検出されない。そこで、本実施の形態においては、前記原稿サイズ設定手段１６をユーザが操作することにより、各原稿２０，２１，２２をそれぞれ定形サイズとして選択的に設定できるようにしている。即ち、従来のセンサ１を用いて３種類の原稿２０，２１，２２を定形サイズとして選択的に設定することができる。設定の方法は、図２について説明した通りである。
【００１４】
図５は様々なサイズの原稿をセンサ１〜５で読取る場合に、１つのセンサで定形サイズとして読取ることのできる原稿サイズを示す。
図５において、EngineeringはB判を示し、ArchitectureはA判を示す。８．５、９、１１、１２…３４、３５は副走査長を主走査幅とした場合の副走査長（元の主走査幅）を示す。３０インチの場合は、B判とＡ判は共通である。この図５によれば、例えば、センサ１により８．５インチのB判と９インチのＡ判の定形サイズを検出することができ、センサ３により２２インチのB判と２４インチのＡ判の定形サイズを検出することができることが分かる。
【００１５】
図４は主走査幅８．５インチの原稿の読取りから出力までの手順を示すフローチャートである。（１）は請求項１に関する処理、（２）は請求項２に関する処理、（３）は請求項３に関する処理を示す。
原稿２０，２１，２２のいずれかが横長に挿入されると、まずその主走査幅(８．５インチ)について複数の副走査長があるかか否かを判断する(S1)。これは、前記のセンサ１で検出され、センサ２〜５では検出されない状態であるか否かにより判断される。複数の副走査長があると判断されると、副走査長を主走査幅として読取りを行うものと判断し、ユーザが原稿サイズ設定手段１６を操作して１１，１３，１４インチの何れかを設定する。即ち、図３（b）の原稿２０，２１，２２の何れかの定形サイズを設定する。
【００１６】
次に、設定された定形サイズが１１インチか否かを判断し(S3)、１１インチであれば、その原稿(図３の原稿２０)の読取りを行い(S4)、S7に進む。１１インチ以外の場合は、その原稿(図３の原稿２１又は２２)の読取りを行う(S5)。次に、読取った原稿画像を±９０°回転させる(S6)。これにより、１１インチの場合は従来の定形サイズなので、その定形サイズの用紙が選択されるが、１３，１４インチの場合は、副走査長が同じ８．５インチであるので、このままでは不定形サイズとなるが、画像を９０°回転させることにより、定形サイズとして適切な用紙サイズを選択できるようにすることができる。
【００１７】
次に、S4で読取られた１１インチの原稿画像又はS6で９０°回転された原稿画像のサイズに応じてカット紙の場合は給紙トレイを選択し(S7)、ロール紙の場合はサイズに応じて用紙をカットし(S9)た後、転写された用紙を出力する(S9)。また、使用した用紙枚数を定形サイズ毎にカウントする(S10)。
【００１８】
本実施の形態によれば、原稿の短辺を主走査幅とし、長辺を主走査幅とした場合、同じ主走査幅であって副走査長が異なることにより区別される定形サイズの原稿を、原稿の長辺が主走査になるようにして読取りを行う場合、１つのセンサにより複数の定形サイズのうちユーザが原稿サイズ設定手段１６により設定した定形サイズ原稿の主走査幅を検出するので、画像欠けすることなく転写出力することができる。
【００１９】
また、原稿の長辺が主走査になるようにして読取りを行う場合、画像を９０°回転することにより、主走査幅を副走査長にすることができるので、例えば、８．５インチ×１３インチの原稿や８．５インチ×１４インチの原稿が不定形サイズ原稿として検出されることなく転写出力することができる。
【００２０】
また、従来では例えば、８．５インチ×１インチ、８．５インチ×１３インチ、８．５インチ×１４インチの３種類の原稿を読取る場合、８．５インチ×１１インチの原稿については定形サイズとして用紙枚数がカウントされるが、８．５インチ×１３インチと８．５インチ×１４インチの原稿については不定形サイズとしてカウントされていたが、本実施の形態によれば、８．５インチ×１３インチと８．５インチ×１４インチの原稿についても定形サイズとして用紙枚数がカウントされるので、用紙消費量を正確に知ることができる。
【図面の簡単な説明】
【００２１】
【図１】本発明の実施の形態による画像形成装置としての複写機の構成を示すブロック図である。
【図２】本発明の実施の形態による原稿サイズ設定手段を操作して表示される原稿サイズ選択画面を示す構成図である。
【図３】副走査長を主走査幅として読取りを行う場合の１つのセンサで複数の定形サイズを検出する原理を示す構成図である。
【図４】原稿の読取りから出力までの手順を示すフローチャートである。
【図５】様々なサイズの原稿を１つのセンサで定形サイズとして読取ることのできる原稿サイズを示す構成図である。
【符号の説明】
【００２２】
１    操作表示部
２    読取部
３    原稿給紙部
５    転写紙給紙部
８    原稿幅検知手段
９    作像部
１０    定着部
１１    画像処理部
１５    ロール紙カット手段
１６    原稿サイズ設定手段
１７    画像回転手段
１８    サイズ別枚数カウント手段
１９    システム制御部
【図１】
2006064788.tif 000003
【図２】
2006064788.tif 000004
【図３】
2006064788.tif 000005
【図４】
2006064788.tif 000006
【図５】
2006064788.tif 000007